(57)【要約】【課題】車室内等に据え付けられる電子機器の回転方向に対する取付角度の調整をより精細に適切な向きに簡単にセットすることができる電子機器取付金具の回転構造を提供する。【解決手段】軸受け部１０の周囲の外周と内周に放射状に同じピッチで周設された２つの凹凸面１１、１２を設けると共に、この２つの凹凸面１１、１２をピッチの半分の角度分ずらして配置した回転可能な取付金具９を設ける。また、この取付金具９の凹凸面と同じピッチで軸受け部１０の周囲の外周と内周に放射状に周設された２つの凹凸面１４、１５を設けると共に、この２つの凹凸面１４、１５をピッチの半分の角度分ずらして配置した取付金具１３を設ける。上記取付金具９の２つの凹凸面１１、１２と、取付金具１３の２つの凹凸面１４、１５とを嵌合し、取付金具９の回転方向に対して角度調整をする。【選択図】        図１
2004268814.tif 000002
【特許請求の範囲】
【請求項１】
軸受け部を中心とする周囲の外周と内周に放射状に同じピッチ角度で周設された２つの凹凸面を設けるとともに、この２つの凹凸面をピッチの半分の角度分ずらして配置した回転可能な電子機器取付部材と、
電子機器取付部材の凹凸面と同じピッチで軸受け部を中心とする周囲の外周と内周に放射状に周設された２つの凹凸面を設けるとともに、この２つの凹凸面をピッチの半分の角度分ずらして配置した固定用部材とを備え、
電子機器取付部材の２つの凹凸面と固定用部材の２つの凹凸面とを嵌合し、電子機器取付部材の回転方向に対して角度調整をするように構成したことを特徴とする電子機器取付金具の回転構造。
【請求項２】
軸受け部を中心とする周囲に所定のピッチで周設された複数個の固定用穴を設けた回転可能な電子機器取付部材と、
電子機器取付部材の固定用穴と同一円周上に所定のピッチで周設された複数個の固定用穴を設けた固定用部材とを備え、
電子機器取付部材と固定用部材とにそれぞれ設けた固定用穴のどちらか一方の固定用穴の数を１つ減らして配置し、１箇所の固定用穴を一致させて角度調整を行ない、この一致させた固定用穴を用いて固定するように構成したことを特徴とする電子機器取付金具の回転構造。
【発明の詳細な説明】
【０００１】
【発明の属する技術分野】
本発明は、車載用スピーカなどの電子機器を車室内の天井等に固定する電子機器取付金具の回転構造に係り、特に、電子機器を適切な向きに調整して固定することができるとともに、取付角度の調整精度を高めた電子機器取付金具の回転構造に関する。
【０００２】
【従来の技術】
車載用スピーカなどを車室内の天井等に据え付けるための電子機器取付金具としては、例えば、図３に示すように構成したものが用いられていた。図３（ａ）は、車載用スピーカ側へ取り付ける電子機器取付金具の要部構成を示す平面図、また、図３（ｂ）は、電子機器取付金具の嵌合状態を示す説明図である。
【０００３】
この図３（ａ）に示す取付金具１は、軸受け部２を中心とする周囲に放射状に同じピッチの例えば、１０°ピッチで周設された鋸歯状の凹凸面３を設けている。また、この取付金具１は、車室内の天井等に固定するもう一方の取付金具４に設けられた鉛直軸（図示しない）へ軸受け部２を挿通し、回転可能に取り付けられている。
【０００４】
車室内の天井等へ固定するもう一方の取付金具４は、上記取付金具１と同様に構成され、取付金具１の凹凸面３と同一の円周上に同一の１０°ピッチで凹凸面５を周設している。そして、この取付金具１、４の凹凸面３、５は、図３（ｂ）に示すように嵌合させている。
【０００５】
このように構成することによって、取付金具１を軸回り方向へ回転させて車載用スピーカの取付角度の調整を行なうときは、軸受け部２における締め付けを緩めて、図３（ｂ）に示すように、凹凸面３の凸部３ａ、３ｂ、３ｃおよび凹部３ｄ、３ｅを任意の位置で嵌合させて角度調整を行ない、角度調整後の回転を防止するために再度締め付けを行なっていた。このような回転構造を持った電子機器取付金具を天井取付用時計や天井取付用スピーカの据え付けに使用することは、従来より種々提案されている。（例えば、特許文献１参照）
【０００６】
さらに、上記のように構成した回転構造を持った電子機器取付金具としては、図４に示すように構成したものがあった。図４は、車室内の天井等側へ取り付けて固定する取付金具６と、車載用スピーカ側へ取り付ける回転可能な取付金具７との構成要部を示す平面図である。
【０００７】
図４に示す取付金具６は、軸受け部８を中心とする周囲に、例えば、３６°のピッチを持って周設された１０個の固定用穴６ａを設けている。もう一方の回転可能な取付金具７には、取付金具６の固定用穴６ａと同一円周上に同じ３６°ピッチで周設された１０個の固定用穴７ａを設けている。
【０００８】
このように構成することによって、車載用スピーカの取付角度の調整は、車載用スピーカ側の取付金具７を例えば、矢印Ａの方向に回転させて上下に位置する両固定用穴６ａ、７ａを一致させ、車載用スピーカの取付角度の調整を行なっていた。また、調整位置を固定する場合は、一致させた両固定用穴６ａ、７ａへボルトを通し、ナットで締め付けて固定していた。
【０００９】
【特許文献１】
特開平９−２３００６３号公報（第２頁―３頁、第３図）
【００１０】
【発明が解決しようとする課題】
図３に示す従来の回転構造を持った電子機器取付金具にあっては、取付金具自体の大きさ（直径）にもよるが、板金のプレス加工で細かいピッチの放射状に形成した凹凸面３、５を設けることは極めて難しかった。例えば、径がφ３０で、厚さが２ｍｍの場合、１０°程度のピッチで凹凸面を設けることが限界であった。また、樹脂材やアルミ材などの成形品で細かな角度付ける方法もあるが、▲１▼金型代が高くなる、▲２▼樹脂材を用いた場合、強度が問題となる、▲３▼アルミ材を用いると単価が高くなる等の問題があった。
【００１１】
また、図４に示す従来の回転構造を持った電子機器取付金具にあっては、固定用穴６ａ、７ａの穴ピッチでしか取付角度の調整を行なうことができず、固定用穴６ａ、７ａの大きさにもよるが、より精細な取付角度の調整を行なうことはできなかった。図４の電子機器取付金具を例に挙げると、固定用穴６ａ、７ａをそれぞれ１０個設けると、そのピッチは、３６°ピッチとなり、このピッチでしか回転方向に対する取付角度の調整を行なうことができないという問題があった。
【００１２】
本発明は、従来の技術の有するこのような問題点に鑑みてなされたものであって、その目的とするところは、車室内等に据え付けられて使用される電子機器の回転方向に対する取付角度の調整をより精細に適切な向きに簡単にセットすることができる電子機器取付金具の回転構造を提供することにある。
【００１３】
【課題を解決するための手段】
上記の目的を達成するために、本発明の電子機器取付金具の回転構造においては、軸受け部を中心とする周囲の外周と内周に放射状に同じピッチ角度で周設された２つの凹凸面を設けるとともに、この２つの凹凸面をピッチの半分の角度分ずらして配置した回転可能な電子機器取付部材と、
この電子機器取付部材の凹凸面と同じピッチで軸受け部を中心とする周囲の外周と内周に放射状に周設された２つの凹凸面を設けるとともに、この２つの凹凸面をピッチの半分の角度分ずらして配置した固定用部材とを備え、
電子機器取付部材の２つの凹凸面と固定用部材の２つの凹凸面とを嵌合し、電子機器取付部材の回転方向に対して角度調整をするように構成したものである。
【００１４】
また、軸受け部を中心とする周囲に所定のピッチで周設された複数個の固定用穴を設けた回転可能な電子機器取付部材と、
電子機器取付部材の固定用穴と同一円周上に所定のピッチで周設された複数個の固定用穴を設けた固定用部材とを備え、
電子機器取付部材と固定用部材とにそれぞれ設けた固定用穴のどちらか一方の固定用穴の数を１つ減らして配置し、１箇所の固定用穴を一致させて角度調整を行ない、この一致させた固定用穴を用いて固定するように構成したものである。
【００１５】
【発明の実施の形態】
本発明の実施の形態を実施例にもとづき図面を参照して説明する。
図１は、本発明に係る電子機器取付金具の回転構造の第１の実施例を示すもので、図１（ａ）は、電子機器取付金具の回転構造の要部構成を示す平面図、図１（ｂ）は、電子機器取付金具の回転構造の嵌合状態を示す説明図である。
【００１６】
図１に示す第１の実施例は、車載用のスピーカ（図示しない）側へ取り付けるための回転可能に構成した取付金具９と、車両の例えば、天井側へ固定するための取付金具１３とによって構成されている。
【００１７】
図１（ａ）は、車載用スピーカ側へ取り付けるための回転可能に構成した取付金具９を示している。この取付金具９は、軸受け部１０を中心とする周囲の外周と内周に放射状に同じピッチで周設された２つの凹凸面１１、１２を設けている。この外周と内周に放射状に設けた２つの凹凸面１１、１２は、それぞれ１０°ピッチで形成しているが、内周の凹凸面１２を外周の凹凸面１１よりも５°ピッチずらして配置し、１０°ピッチで形成している。
【００１８】
したがって、図１（ｂ）で示すように、外周に１０°ピッチで設けた凹凸面１１に対して、内周において５°ピッチがずれた状態で、凹凸面１２が１０°ピッチごとに配置されることになる。この２つの凹凸面１１、１２の配置の組み合わせにより、半分の５°ピッチの凹凸面を形成したと同様の構成が得られる。
【００１９】
一方、車両の天井側に取り付ける取付金具１３の底面には、上記取付金具９と全く同じように、軸受け部１０を中心とする周囲の外周と内周に放射状の凹凸面１４、１５を１０°ピッチで形成するとともに、内周の凹凸面１５を外周の凹凸面１４よりも５°ピッチずらした状態で配置し、１０°ピッチで形成している。
【００２０】
したがって、図１（ｂ）で示すように、外周に１０°ピッチで設けた凹凸面１４に対して、５°ピッチずれた位置に設けた凹凸面１５が配置されることになる。この２つの凹凸面１４、１５の組み合わせにより、半分の５°ピッチの凹凸面を形成したと同様の構成が得られる。
【００２１】
上記のように構成した取付金具９の２つの凹凸面１１、１２と、取付金具１３の２つの凹凸面１４、１５とを、図１（ｂ）で示すように嵌合させることによって、１０°ピッチの半分の５°ピッチ、すなわち、１ピッチの間に、２回嵌合を行なわせることができる。したがって、取付金具９の回転方向に対して、取付角度の調整を精細に行なうことができる。また、外周と内周に設けた凹凸面のピッチを細かく形成する必要がないため、強度を維持することができるとともに、製造コストの低減を図ることができる。
【００２２】
次に、図２にもとづき、本発明に係る電子機器取付金具の回転構造の第２の実施例について説明する。
この図２に示す電子機器取付金具の回転構造は、車載用スピーカ側へ取り付ける回転可能な取付金具１６と、車両の車室内の天井側へ取り付けるための取付金具１７とで構成している。
【００２３】
車載用スピーカ側へ取り付ける取付金具１６は、軸受け部１８を中心とする周囲に３６°ピッチで周設された１０個の固定用穴１６ａを設けている。一方、車室内の天井側へ取り付ける取付金具１７は、取付金具１６の固定用穴１６ａと同一円周上に４０°ピッチで周設された９個の固定用穴１７ａを設けている。
なお、この第２の実施例では、取付金具１７の固定用穴１７ａを１つ少なく形成したが、固定用穴１６ａ、１７ａの穴の数は、どちらか一方の固定用穴の数を１つ減らして配置すればよい。
【００２４】
車載用スピーカの取付角度を調整する場合、例えば、図２（ａ）の（イ）の位置から左隣りの図２（ｂ）で示す（ロ）の位置へ調整する場合は、取付金具１６を図２（ｂ）の矢印Ｂの方向へ回転させて、固定用穴１６ａ、１７ａの１箇所を図２（ｂ）に示す（ロ）のように一致させる。このように、隣の固定用穴へ合わせるためには取付金具１６を（４０°ピッチ）−（３６°ピッチ）＝４°ずらせば、一致させることができ、精細な回転角度調整を簡単に行なうことができる。取付金具１６、１７を固定する場合は、一致させた１箇所の固定用穴１６ａ、１７ａへボルトを通し、ナットで締め付けて固定を行なう。
【００２５】
このように、車載用スピーカ側の取付金具１６又は車両側の取付金具１７のどちらか一方の固定用穴１６ａ又は１７ａを１つ減らして配置することにより、従来の同数の固定用穴を設けた場合に比べて大幅に精細な回転方向への角度調整を行なうことが可能となる。
【００２６】
なお、上記の第１の実施例および第２の実施例では、本発明に係る電子機器取付金具の回転構造を車室内の天井へ車載用スピーカを据え付ける場合について示したが、本発明の電子機器取付金具の回転構造は、これに限られるものではない。また、据え付ける電子機器も車載用スピーカに限られるものではない。
【００２７】
【発明の効果】
本発明は、以上説明したように構成されているので、車室内等に据え付けられて使用される電子機器の回転方向に対する取付角度の調整をより精細に適切な向きに簡単にセットすることができる。
【図面の簡単な説明】
【図１】本発明の第１の実施例を示す要部構成の平面図および説明図である。
【図２】本発明の第２の実施例を示す要部構成の平面図である。
【図３】従来例を示す平面図である。
【図４】従来例を示す平面図である。
【符号の説明】
１      取付金具
２      軸受け部
３      凹凸面
３ａ、３ｂ、３ｃ    凸部
３ｄ、３ｅ          凹部
４      取付金具
５      凹凸面
５ａ、５ｂ          凸部
５ｃ、５ｄ、５ｅ    凹部
６、７  取付金具
６ａ、７ａ          固定用穴
８      軸受け部
９、１３            取付金具
１０    軸受け部
１１、１２          凹凸面
１４、１５          凹凸面
１６、１７          取付金具
１６ａ、１７ａ      固定用穴
１８    軸受け部
【図１】
2004268814.tif 000003
【図２】
2004268814.tif 000004
【図３】
2004268814.tif 000005
【図４】
2004268814.tif 000006